(57)【特許請求の範囲】
【請求項１】
複数の物理アップリンク共有チャンネル（ＰＵＳＣＨ）送信を編成する方法であって、
ノードで、ハイブリッド自動繰り返し要求（ＨＡＲＱ）処理のためのＰＵＳＣＨ送信を、少なくとも１つのＰＵＳＣＨ送信時間間隔（ＴＴＩ）バンドル（ＴＴＩバンドル）において、約５０サブフレーム時間間隔内の少なくとも２０ＴＴＩ内にバンドリングする命令を含むＴＴＩバンドリング構成情報を生成する段階と、
無線デバイスが約５０サブフレーム時間間隔内で前記少なくとも１つのＰＵＳＣＨ  ＴＴＩバンドルを用いてＰＵＳＣＨ信号を送信することを可能にするべく、ＴＴＩバンドリング構成情報を前記無線デバイスに送信する段階と、
を具備し、
各々のＰＵＳＣＨ  ＴＴＩバンドルは、１２サブフレームＴＴＩバンドル再送信遅延および前記無線デバイスのための最大で５のＨＡＲＱ再送信を有する４つの連続ＴＴＩを含む、方法。
【請求項２】
前記約５０サブフレーム時間間隔は、各々のパケットのボイスオーバーインターネットプロトコル（ＶｏＩＰ）エアインターフェース待ち時間制約であり、前記少なくとも２０ＴＴＩは各々のパケットに割り当てられたＴＴＩの最大数であり、各々のパケットのＶｏＩＰパケット到達率は２０ＴＴＩであり、各々のＴＴＩは無線フレームの１ミリ秒（ｍｓ）サブフレームであり、および少なくとも一部の前記ＴＴＩバンドリング構成情報は高次レイヤ無線リソース制御（ＲＲＣ）シグナリングを介して前記無線デバイスに送信される、請求項１の方法。
【請求項３】
各々のＰＵＳＣＨ  ＴＴＩバンドルは、
２０の連続ＴＴＩ、および、ＰＵＳＣＨ  ＴＴＩバンドルに関連付けられたＨＡＲＱフィードバック指標、または、ＰＵＳＣＨ  ＴＴＩバンドルの少なくとも４つのＴＴＩのためのフィードバックを提供する各々のＨＡＲＱフィードバック指標を有するＰＵＳＣＨ  ＴＴＩバンドルに関連付けられた複数の中間ＨＡＲＱフィードバック指標と、
各々のインターリーブＴＴＩは、前記ＰＵＳＣＨ  ＴＴＩバンドルの中ではないＴＴＩと、前記ＰＵＳＣＨ  ＴＴＩバンドルに関連付けられたＨＡＲＱフィードバック指標、または、前記ＰＵＳＣＨ  ＴＴＩバンドルの少なくとも４つのＴＴＩのためのフィードバックを提供する各々のＨＡＲＱフィードバック指標を有する前記ＰＵＳＣＨ  ＴＴＩバンドルに関連付けられた複数の中間ＨＡＲＱフィードバック指標と、によって分離される、２０のインターリーブＴＴＩと、
２０サブフレームＴＴＩバンドル再送信遅延または３０サブフレームＴＴＩバンドル再送信遅延を有する１０の連続ＴＴＩと、のうちの少なくとも１つを具備する、請求項１または２に記載の方法。
【請求項４】
初期ＨＡＲＱ送信に対応する前記ＰＵＳＣＨ  ＴＴＩバンドル、および後続のＨＡＲＱ再送信に対応するＰＵＳＣＨ  ＴＴＩバンドルは、異なる数のＴＴＩを占める、請求項１から３のいずれか一項に記載の方法。
【請求項５】
ＰＵＳＣＨ  ＴＴＩバンドルは、相互情報を最大化してＴＴＩバンドル送信および再送信の最大復号化およびダイバーシティ利得を抽出すべく、冗長性が異なったバージョンを搬送する、
請求項１から４のいずれか一項に記載の方法。
【請求項６】
リンク適応情報に基づいたユーザ機器（ＵＥ）固有のＴＴＩバンドルサイズを適応的に構成する段階をさらに具備し、
各々のＰＵＳＣＨ  ＴＴＩバンドルは、４、８、１０、１２、１６、または２０のサブフレームのＴＴＩバンドルサイズを含むことができ、また前記ＴＴＩバンドリング構成情報は前記ＴＴＩバンドルサイズを含む、
請求項１から５のいずれか一項に記載の方法。
【請求項７】
少なくとも２つのハイブリッド自動繰り返し要求（ＨＡＲＱ）処理を適応的に組み合わせる段階をさらに具備し、
各々のＨＡＲＱ処理は前記ＰＵＳＣＨ  ＴＴＩバンドルを含み、前記ＴＴＩバンドリング構成情報は、各々のＴＴＩバンドルの冗長性バージョン（ＲＶ）情報または単純なシーケンス繰り返し情報を含む、請求項１から６のいずれか一項に記載の方法。
【請求項８】
請求項１から７のいずれか一項に記載の方法をコンピュータに実行させるプログラム。
【請求項９】
複数の物理アップリンク共有チャンネル（ＰＵＳＣＨ）送信を編成するためのノードのノードデバイスであって、
少なくとも１つの送信時間間隔（ＴＴＩ）バンドル（ＴＴＩバンドル）において、約５０サブフレーム時間間隔内の少なくとも２０ＴＴＩ内に、ハイブリッド自動繰り返し要求（ＨＡＲＱ）処理のためのＰＵＳＣＨ送信をバンドルする命令を有する送信時間間隔バンドリング構成情報（ＴＴＩバンドリング構成情報）を生成する処理モジュールと、
約５０サブフレーム時間間隔の内のうち少なくとも１つのＴＴＩバンドルを用いて、無線デバイスがＰＵＳＣＨ信号を送信することを可能にするべく、前記ＴＴＩバンドリング構成情報を前記無線デバイスに送信するトランシーバモジュールと、
を具備し、
各々のＴＴＩバンドルは、１２サブフレームＴＴＩバンドル再送信遅延および前記無線デバイスのための最大で５のＨＡＲＱ再送信を有する４つの連続ＴＴＩを含み、前記約５０サブフレーム時間間隔は５２ミリ秒（ｍｓ）である、ノードデバイス。
【請求項１０】
各々のＴＴＩバンドルは２０の連続ＴＴＩあるいは２０のインターリーブＴＴＩを含み、各々のインターリーブＴＴＩは、前記ＴＴＩバンドルの中ではないＴＴＩと、前記ＴＴＩバンドルに関連付けられたＨＡＲＱフィードバック指標、または、前記ＴＴＩバンドルの少なくとも４つのＴＴＩのためのフィードバックを提供する各々のＨＡＲＱフィードバック指標を有する前記ＴＴＩバンドルに関連付けられた複数の中間ＨＡＲＱフィードバック指標とによって分離される、請求項９に記載のノードデバイス。
【請求項１１】
各々のＴＴＩバンドルは、２０サブフレームＴＴＩバンドル再送信遅延または３０サブフレームＴＴＩバンドル再送信遅延を含む１０の連続ＴＴＩを含む、請求項９または１０に記載のノードデバイス。
【請求項１２】
前記トランシーバモジュールは、さらに、前記約５０サブフレーム時間間隔内で少なくとも１つのＴＴＩバンドルに少なくとも２０ＴＴＩを含むＰＵＳＣＨ信号送信を受信し、
前記処理モジュールは、さらに、前記受信したＰＵＳＣＨ信号からのデータを復号化し、
前記トランシーバモジュールは、さらに、前記ＴＴＩバンドリング構成情報および前記データに基づいて前記無線デバイスに少なくとも１つのハイブリッド自動繰り返し要求肯定応答（ＡＣＫ）ＨＡＲＱ−ＡＣＫフィードバックを送信する、請求項９から１１のいずれか一項に記載のノードデバイス。
【請求項１３】
物理アップリンク共有チャンネル（ＰＵＳＣＨ）送信時間間隔（ＴＴＩ）バンドリングの方法をコンピュータに実行させるプログラムであって、
少なくとも２０ＴＴＩ内でハイブリッド自動繰り返し要求（ＨＡＲＱ）処理のためのＰＵＳＣＨ送信をバンドルするための命令を含むＴＴＩバンドリング構成情報をノードから無線デバイスで受信する段階と、
少なくとも１のＰＵＳＣＨ  ＴＴＩバンドルを形成するべく最大で前記少なくとも２０ＴＴＩのバンドリングを行う段階と、
約５０サブフレーム時間間隔内で、最大で前記少なくとも２０ＴＴＩの前記少なくとも１のＰＵＳＣＨ  ＴＴＩバンドルを前記ノードに送信する段階と、を具備し、
各々のＰＵＳＣＨ  ＴＴＩバンドルは、１２サブフレームＴＴＩバンドル再送信遅延および前記無線デバイスのための最大で５のＨＡＲＱ再送信を有する４つの連続ＴＴＩを含み、前記約５０サブフレーム時間間隔は５２ミリ秒（ｍｓ）である、プログラム。
【請求項１４】
各々のＴＴＩバンドルは、
各々のインターリーブＴＴＩが、ＴＴＩバンドルの中ではないＴＴＩと、前記ＴＴＩバンドルに関連付けられたＨＡＲＱフィードバック指標、または、前記ＴＴＩバンドル内の少なくとも４つのＴＴＩのためのフィードバックを提供する各々のＨＡＲＱフィードバック指標を有する前記ＴＴＩバンドルに関連付けられた複数の中間ＨＡＲＱフィードバック指標とによって分離される、２０の連続ＴＴＩあるいは２０のインターリーブＴＴＩと、
２０サブフレームＴＴＩバンドル再送信遅延または３０サブフレームＴＴＩバンドル再送信遅延を含む１０の連続ＴＴＩと、
のうち少なくとも１つを具備する、請求項１３に記載のプログラム。
【請求項１５】
物理アップリンク共有チャンネル（ＰＵＳＣＨ）送信時間間隔（ＴＴＩ）バンドリングのための無線デバイスであって、
少なくとも２０ＴＴＩ内でハイブリッド自動繰り返し要求（ＨＡＲＱ）処理のためのＰＵＳＣＨ送信をバンドルする命令を含むＴＴＩバンドリング構成情報をノードから受信するトランシーバモジュールと、
少なくとも１のＰＵＳＣＨ  ＴＴＩバンドルを形成するべく、最大で前記少なくとも２０のＴＴＩをＴＴＩバンドルする処理モジュールとを具備し、
前記トランシーバモジュールは、さらに、約５０のサブフレーム周期的時間間隔内で、最大で前記少なくとも２０のＴＴＩの前記少なくとも１つのＰＵＳＣＨ  ＴＴＩバンドルを前記ノードに送信し、
各々のＰＵＳＣＨ  ＴＴＩバンドルは、１２サブフレームＴＴＩバンドル再送信遅延および最大で５のＨＡＲＱ再送信を有する４つの連続ＴＴＩを含む、無線デバイス。
【請求項１６】
各々のＰＵＳＣＨ  ＴＴＩバンドルは、
各々のインターリーブＴＴＩが、ＴＴＩバンドルの中ではないＴＴＩと、前記ＴＴＩバンドルに関連付けられたＨＡＲＱフィードバック指標、または、前記ＴＴＩバンドルの少なくとも４つのＴＴＩのためのフィードバックを提供する各々のＨＡＲＱフィードバック指標を有するＴＴＩバンドルに関連付けられた複数の中間ＨＡＲＱフィードバック指標によって分離される、２０の連続ＴＴＩまたは２０のインターリーブＴＴＩと、
１０の連続ＴＴＩと、
８の連続ＴＴＩと、
のうち少なくとも１つを具備する、請求項１５に記載の無線デバイス。
【請求項１７】
前記トランシーバモジュールは、さらに、前記約５０のサブフレーム周期的時間間隔内で少なくとも２０ＴＴＩのＴＴＩバンドリングのためのＰＵＳＣＨ信号を送信し、前記ノードからの否定応答（ＮＡＣＫ）ハイブリッド自動繰り返し要求（ＨＡＲＱ）フィードバックに基づいたＰＵＳＣＨ信号を再送信する、請求項１５または１６に記載の無線デバイス。
【請求項１８】
前記無線デバイスは、ユーザ機器（ＵＥ）と移動局（ＭＳ）とからなる群から選択され、前記無線デバイスは、アンテナ、タッチセンサー式ディスプレイ画面、スピーカ、マイクロホン、グラフィックスプロセッサ、アプリケーションプロセッサ、内部メモリ、不揮発性メモリポート、およびそれらの組み合わせのうち少なくとも１つを具備する、請求項１５から１７のいずれか一項に記載の無線デバイス。
【発明の詳細な説明】
【背景技術】
【０００１】
無線移動通信技術は、ノード（例えば送信局）と無線デバイス（例えばモバイルデバイス）との間でデータを送信するべく、様々な規格およびプロトコルを用いる。いつくかの無線デバイスは、ダウンリンク（ＤＬ）送信においては直交周波数分割多元接続（ＯＦＤＭＡ）、アップリンク（ＵＬ）送信においてはシングル搬送周波数分割多元接続（ＳＣ−ＦＤＭＡ）を用いて、通信を行う。直交周波数分割多重化（ＯＦＤＭ）を信号送信に用いる規格およびプロトコルは、第３世代パートナーシッププロジェクト（３ＧＰＰ）ロングタームエボリューション（ＬＴＥ）、一般的に業界団体にはＷｉＭＡＸ（Ｗｏｒｌｄｗｉｄｅ  ｉｎｔｅｒｏｐｅｒａｂｉｌｉｔｙ  ｆｏｒ  Ｍｉｃｒｏｗａｖｅ  Ａｃｃｅｓｓ）として知られているＩｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ（ＩＥＥＥ）の８０２．１６規格（例えば、８０２．１６ｅ、８０２．１６ｍ）、および一般的に業界団体にはＷｉＦｉとして知られているＩＥＥＥ８０２．１１規格を含む。
【０００２】
３ＧＰＰ無線アクセスネットワーク（ＲＡＮ）ＬＴＥシステムでは、ノードは、次世代ユニバーサル地上波無線アクセスネットワーク（Ｅ−ＵＴＲＡＮ）ノードＢ（さらに次世代ノードＢ、エンハンスドノードＢ、ｅＮｏｄｅＢ、またはｅＮＢと一般的に示される）、および無線ネットワークコントローラ（ＲＮＣ）の組み合わせとすることができ、それはユーザ機器（ＵＥ）として知られている無線デバイスと通信する。ダウンリンク（ＤＬ）送信は、ノード（例えばｅＮｏｄｅＢ）から無線デバイス（例えばＵＥ）までの通信になり得る。また、アップリンク（ＵＬ）送信は無線デバイスからノードまでの通信になり得る。
【０００３】
ＬＴＥでは、ＵＥからｅＮｏｄｅＢに物理アップリンク共有チャンネル（ＰＵＳＣＨ）を介して、データを送信することができる。ＰＵＳＣＨは、スケジューリングされたデータトラヒックおよび可能な制御シグナリングを搬送し得る。ＰＵＳＣＨは、無線フレームのサブフレームに入れて搬送され得る。１ミリ秒（ｍｓ）のサブフレームは、１ｍｓスケジューリング間隔（または送信時間間隔（ＴＴＩ））を許可することができる。アップリンクカバレッジは、無線デバイスの最大送信電力によって制限される可能性がある。いくつかの状況で、ボイスオーバーインターネットプロトコル（ＶｏＩＰ）パケットは、例えば、許容可能な誤り率を有する１ミリ秒のサブフレームで送信され得ない。ＶｏＩＰパケットを送信するための１つの解決方法は、いくつかのサブフレームを介したＶｏＩＰパケットの送信を可能にするべく、高次レイヤでＶｏＩＰパケットを分割することである。しかし、そのような分割は、各々のセグメント（リソース割当てシグナリングおよびハイブリッド自動繰り返し要求（ハイブリッドＡＲＱまたはＨＡＲＱ）肯定応答シグナリングを含む）の付加的なシグナリングオーバヘッドをもたらす場合がある。セルの端でアップリンクＶｏＩＰカバレッジを向上する技術は、ＴＴＩバンドリングを用いることであり、アップリンク送信全体のための一群のシグナリングメッセージ（例えば、ＨＡＲＱ肯定応答フィードバック）により、媒体アクセス制御（ＭＡＣ）層からの単一トランスポートブロック（ＴＢ）が複数の連続したサブフレームで送信される。例えば、ＰＵＳＣＨは、個々の１ｍｓ  ＴＴＩに加えて、４ＴＴＩからなる群が一緒にバンドルされるのを可能にし得る。
【図面の簡単な説明】
【０００４】
本開示の特徴および利点は、添付した図面とともに以下の詳細な説明から、例として本開示の特徴を一緒に説明する添付した図面と組み合わせて明らかになるであろう。
【図１】一例に係る、第４世代（４Ｇ）周波数スペクトル（例えば、２．６ギガヘルツ（ＧＨｚ））と第３世代（３Ｇ）周波数スペクトル（例えば、８００メガヘルツ（ＭＨZ）との間の経路損失比較を示す。
【図２】一例に係る、異なるダウンリンク（ＤＬ）およびアップリンク（ＵＬ）物理チャンネルの最大結合損失（ＭＣＬ）性能を比較示す。
【図３】一例に係る、４つの連続送信時間間隔（ＴＴＩ）と１６のサブフレームＴＴＩバンドル再送信遅延とを有するバンドルのブロック図を示す。
【図４】一例に係る、４つの連続送信時間間隔（ＴＴＩ）と１２のサブフレームＴＴＩバンドル再送信遅延とを有するバンドルのブロック図を示す。
【図５】一例に係る、２０の連続送信時間間隔（ＴＴＩ）とハイブリッド自動繰り返し要求（ＨＡＲＱ）肯定応答／否定応答（ＡＣＫ／ＮＡＣＫ）とを有するバンドルのブロック図を示す。
【図６】一例に係る、２０のインターリーブ送信時間間隔（ＴＴＩ）とハイブリッド自動繰り返し要求（ＨＡＲＱ）肯定応答／否定応答（ＡＣＫ／ＮＡＣＫ）とを有するバンドルのブロック図を示す。
【図７】一例に係る、２０の連続送信時間間隔（ＴＴＩ）と複数のハイブリッド自動繰り返し要求（ＨＡＲＱ）肯定応答／否定応答（ＡＣＫ／ＮＡＣＫ）とを有するバンドルのブロック図を示す。
【図８】一例に係る、２０のインターリーブ送信時間間隔（ＴＴＩ）と複数のハイブリッド自動繰り返し要求（ＨＡＲＱ）肯定応答／否定応答（ＡＣＫ／ＮＡＣＫ）を有するバンドルのブロック図を示す。
【図９】一例に係る、１０の連続送信時間間隔（ＴＴＩ）を有するバンドルのブロック図を示す。
【図１０】一例に係る、８つの連続送信時間間隔（ＴＴＩ）を有するバンドルのブロック図を示す。
【図１１】一例に係る、拡張歩行者Ａモデル（ＥＰＡ）を用いた様々な送信時間間隔（ＴＴＩ）バンドリング構成のブロック誤り率（ＢＬＥＲ）と信号対雑音干渉比（ＳＩＮＲ）との比較を示す。
【図１２】一例に係る、物理アップリンク共有チャンネル（ＰＵＳＣＨ）送信を編成する方法のフローチャートを示す。
【図１３】一例に係る、物理アップリンク共有チャンネル（ＰＵＳＣＨ）送信時間間隔（ＴＴＩ）バンドリングの方法のフローチャートを示す。
【図１４】一例に係る、ノードおよび無線デバイスのブロック図を示す。
【図１５】一例に係る、無線デバイスの図を示す。示された例示的な実施形態を参照し、本明細書中において特定の文言を用いてそれらの実施形態を説明する。しかし、これにより本発明の範囲が限定されるものではないと意図していることを理解されよう。
【発明を実施するための形態】
【０００５】
本発明の開示および説明に先だって、本発明が本明細書中に開示された特定の構造、処理ステップ、または材料に限定されず、関連分野の当業者には認識されるであろうそれらの均等物にも拡張されることが理解されるべきである。また、本明細書中で用いられる用語は、特定の例を説明するためのみに用いられ、限定することを意図するものではないことを理解すべきである。異なる図面における同一の参照符号は同一の要素を表わす。フローチャートおよび処理において示した数字は、ステップおよび操作の例証を明確にするために定められており、必ずしも特定の順序またはシーケンスを示していない。
【０００６】
実施形態例
【０００７】
技術実施形態の最初の概要を以下に提供し、そして、特定の技術実施形態を後でさらに詳細に説明する。この冒頭の要約は、読者が技術をより速く理解する手助けとなることを意図しているが、本技術の重要な特徴または基本的な特徴を特定することを意図せず、またクレームされた主題の範囲を制限することを意図していない。
【０００８】
セルラーネットワークのカバレッジは、最初の無線ネットワークシステム配備を計画する際にネットワークオペレータによって用いられる主要な尺度（ｍｅｔｒｉｃ）となり得る。大きなシステムカバレッジエリアは、高いレベルのユーザ満足度を達成し得る。既存の第３世代（３Ｇ）サイト導入を第４世代（４Ｇ）ＬＴＥネットワークに用いることができる。しかし、このＬＴＥネットワークは、より高い搬送周波数（例えば、２．０および２．６ギガヘルツ（ＧＨｚ））によりカバレッジが減少する可能性がある。ＬＴＥに用いられるより高い搬送周波数（例えば、２．０および２．６ＧＨｚ）は、典型的な３Ｇスペクトル（例えば、８００メガヘルツ（ＭＨｚ））よりもかなり悪化した伝播および屋内浸透特性を有し得る。このことは、同様の３Ｇサイトグリッドを再利用した場合にＬＴＥネットワークのカバレッジが不十分になり得る。例えば、図１は、８００ＭＨｚ周波数スペクトルと２．６ＧＨｚ周波数スペクトルとの間における経路損失８０２の値の比較を示す。これらのスペクトルは、基地局（例えば、ｅＮｏｄｅＢ）と携帯端末（例えば、ＵＥ）との間のメートルで表した距離に関連して技術評価をおこなうべく、ＬＴＥシステム設計者により使用される。４Ｇ周波数８１６、８１８、および８２０は、３Ｇ周波数８１０、８１２、および８１４と比べて約１０デシベル（ｄＢ）の損失を有する。３Ｇ周波数と４Ｇ周波数との間の不均衡により、ＬＴＥネットワークおよびプロトコルは、ＬＴＥシステムのカバレッジを向上して高める特徴を有し得る。
【０００９】
カバレッジ性能の障害または送信電力の不均衡は、ダウンリンクおよびアップリンクデータ並びに／または制御チャンネルの間に存在し得る。最大結合損失（ＭＣＬ）は、異なるダウンリンク（ＤＬ）およびアップリンク（ＵＬ）物理チャンネルのカバレッジ性能の尺度として用いることができる。図２は、異なるＵＬ物理チャンネルのアップリンクＭＣＬ８２２および８２４性能を示す。例えば、図２は、方式２（Ｆ２）物理ランダムアクセスチャンネル（ＰＲＡＣＨ）８３０、方式１（Ｆ１）物理アップリンク制御チャンネル（ＰＵＣＣＨ）８３２、方式１ａ（Ｆ１ａ）ＰＵＣＣＨ８３４、方式２（Ｆ２）４ビットＰＵＣＣＨ８３６、Ｆ２  １１ビットＰＵＣＣＨ８３８、５６トランスポートブロックサイズ（ＴＢＳ）を有する物理アップリンク共有チャンネル（ＰＵＳＣＨ）メッセージ３（Ｍｓｇ３）８４０、１４４ＴＢＳを有するＰＵＳＣＨ  Ｍｓｇ３  ８４２、適応マルチレート（ＡＭＲ）ボイスオーバーインターネットプロトコル（ＶｏＩＰ）ＰＵＳＣＨ８４４、および中データレートＰＵＳＣＨ８４６のためのＭＣＬを示す。物理ランダムアクセスチャンネル（ＰＲＡＣＨ）は、ランダムアクセスチャンネル（ＲＡＣＨ）を搬送するために用いられ得る。これは、ランダムに選択または事前に割り当てることができるプリアンブルシグネチャルからなり得る。シグネチャを２群に分割することによって、ＰＲＡＣＨは、次のアップリンクメッセージに必要とされるリソースの量を示す高次レイヤ情報の１ビットを搬送することができる。物理アップリンク制御チャンネル（ＰＵＣＣＨ）は、チャンネル品質指標（ＣＱＩ）、ハイブリッド自動再送信要求（ＨＡＲＱ）肯定応答または否定応答（ＡＣＫ／ＮＡＣＫ）、およびアップリンクスケジューリング要求を含むアップリンク制御情報を搬送することができる。ダウンリンクおよびアップリンクのＭＣＬに基づいて、アップリンクはＬＴＥカバレッジ性能に関して限定因子になり得る。例えば、図２に示す例では、ＰＵＳＣＨ  ＶｏＩＰ送信モード８４４は１３９ｄＢのアップリンクＭＣＬを有することができる。一例において、物理アップリンク共有チャンネル（ＰＵＳＣＨ）ＶｏＩＰ送信はＬＴＥカバレッジを制限することができる。ＰＵＳＣＨ送信時間間隔（ＴＴＩ）バンドリングの様々な強化された構成を用いて、カバレッジギャップを少なくとも１ｄＢ減少せることが可能である。
【００１０】
アップリンク（例えば、ＰＵＳＣＨ）カバレッジの向上は、レガシーＴＴＩバンドリングに対してＴＴＩバンドリング機構の改変形態を用いて、達成されてもよい。例えば、ＴＴＩバンドリング方法は、４つのＴＴＩ（ここで、１つのＴＴＩが１つのサブフレーム期間に等しくなり得る）よりも大きな時間間隔スパンにわたるデータペイロードを送信するべく、用いられてもよい。このことは、受信機において情報ビットあたりの累積エネルギーを増加させ得る。ＴＴＩバンドリングのさらなる利点は、パケットサイズが小さいとかなりなものになり得る、レイヤ２（Ｌ２）無線リンク制御（ＲＬＣ）分割オーバヘッドおよび巡回冗長検査（ＣＲＣ）オーバヘッドの減少であり得る。ＴＴＩは、ノード（例えば、ｅＮＢ）が無線デバイス（例えば、ＵＥ）にアップリンクまたはダウンリンク送信のスケジューリングができる最小の時間単位であり得る。
【００１１】
ＴＴＩバンドリングは、セルの端にある、または、不十分な無線状態にあるカバレッジを向上する特徴を含むことができる。ＴＴＩバンドリングは、多数のＴＴＩ内に同じデータを繰り返しさせ得る。このことは、無線デバイスがより長い時間送信することを可能にするＴＴＩ長さを効果的に増加させ得る。単一のトランスポートブロック（ＴＢ）は、符号化され、１群の連続またはインターリーブＴＴＩで送信され得る。同一のハイブリッドＡＲＱ（ＨＡＲＱ）処理数を、バンドルされたＴＴＩの各々で用いることができる。バンドルされたＴＴＩは、単一のグラントおよび単一の肯定応答が使用される単一のリソースとして処置され得る。ＴＴＩバンドリングは、１つの無線デバイスあたりの上位層シグナリングにより起動され得る。例えば、ＴＴＩバンドリングのトリガーは、最大送信電力値に近似していく送信電力を報告する無線デバイスであり得る。
【００１２】
レガシーＴＴＩバンドリングには、様々な限界があり得る。例えば、ＴＴＩバンドルは周波数分割二重化（ＦＤＤ）および時分割二重化（ＴＤＤ）においてわずか４つのサブフレームしか持てない場合があること、ＴＴＩバンドルのいくつかの物理リソースブロック（ＰＲＢ）を周波数割当て（対時間割当て）において１〜３ＰＲＢに制限され得ること、ならびに、ＴＴＩバンドルモードが四位相偏移変調（ＱＰＳＫ）ベースの変調を使用し得ることである。時分割二重化（ＴＤＤ）は、ダウンリンクとアップリンク信号とを分離する時分割多重化（ＴＤＭ）のアプリケーションである。ＴＤＤにおいて、ダウンリンク信号およびアップリンク信号は、アップリンク信号とは異なる時間間隔をダウンリンク信号が用いる同じ搬送周波数上で、搬送されてもよい。したがって、ダウンリンク信号およびアップリンク信号は、互いに干渉し合うことはない。ＴＤＭは、デジタル多重化の一種であり、２またはそれ以上のビットストリームまたは信号（例えば、ダウンリンクまたはアップリンク）が１つの通信チャンネルのサブチャンネルとして外見上同時に転送されるが、物理的にはそのチャンネル上で交代する。周波数分割二重化（ＦＤＤ）では、アップリンク送信およびダウンリンク送信は、異なる周波数キャリアを用いて動作し得る。ＦＤＤでは、ダウンリンク信号がアップリンク信号とは異なる周波数キャリアを用いるので、干渉を回避することができる。
【００１３】
一例において、ボイスオーバーインターネットプロトコル（ボイスオーバーＩＰまたはＶｏＩＰ）サービスは、ＴＴＩバンドリングに追加の制約を加えることができる。ボイスオーバーＩＰ（ＶｏＩＰ）は、インターネットなどのインターネットプロトコル（ＩＰ）ネットワーク上で、音声通信およびマルチメディアセッションの配信に関与する通信プロトコル、技術、方法論、および送信技術を指すことができる。ＶｏＩＰは、低レート遅延感受性トラヒックモデルを使用し得る。アップリンクＶｏＩＰカバレッジの例として、適応マルチレート（ＡＭＲ）１２．２キロビット／秒（ｋｂｐｓ）コーデックを、無線リンク制御（ＲＬＣ）サービスデータユニット（ＳＤＵ）のトランスポートブロックサイズ（ＴＢＳ）の３６〜４１バイト（最大で３２８バイト）により、用いられ得る。
【００１４】
ＰＵＳＣＨ送信に対するＶｏＩＰトラヒックモデルの制約は、パケット到達率と最大パケットエアインターフェース待ち時間（またはパケットエアインターフェース遅延）とを含むことができる。パケット到達率の尺度は、新たなＶｏＩＰパケットが送信され得る周期的な率を指すことができ、サブフレーム、ＴＴＩ、またはミリ秒（ｍｓ）で測定し得る。例えば、図３では、パケット到達率２３４ａは、最初のパケット（例えば第１のパケットのサブフレーム０）とその後のパケット（例えば第２のＶｏＩＰパケット２４０のサブフレーム２０および第３のＶｏＩＰパケット２４２のサブフレーム４０）との間の時間、例えば２０ＴＴＩであり得る。パケットエアインターフェース待ち時間尺度は、最初の送信の第１のＴＴＩから開始して、パケット送信に用いられ得る最終ハイブリッド自動繰り返し要求（ハイブリッドＡＲＱまたはＨＡＲＱ）再送信の最後のＴＴＩまでの、パケット送信総時間を指すことができる。これは、サブフレーム、ＴＴＩ、またはｍｓで測定され得る。ＨＡＲＱ再送信期間またはＨＡＲＱ往復時間（ＲＴＴ）は、ＨＡＲＱプロトコルにおける再送信の間の時間を指すことができ、ソース（例えば、ＵＥ）から宛先（例えば、ｅＮＢ）までパケットの移動、宛先での復号化および肯定応答／否定応答（ＡＣＫ／ＮＡＣＫ）生成、ソースへのＡＣＫ／ＮＡＣＫによる応答の送信、ならびに再送信を公式化するソースでの処理の総時間が含まれ得る。ＨＡＲＱ再送信は、最初のパケットおよびその後のパケットの再送信を含むことができる。図３に示すように、ＴＴＩバンドル２２０ａは、４つのＨＡＲＱ再送信２５０ａ、２５２ａ、２５４ａ、および２５６ａを有する４つのＴＴＩを含む。各々のＨＡＲＱ再送信期間２３０ａは１６ＴＴＩであり、パケットエアインターフェース待ち時間は、約５０ＴＴＩ（例えば、５２ＴＴＩ）である。一例において、用語「約（ａｐｐｒｏｘｉｍａｔｅｌｙ）」は公称値（±５％許容差）のプラスまたはマイナス５％を指すことができる。例えば、約５０のサブフレーム時間間隔は４８〜５２のサブフレーム時間間隔を指すことができる。別の例において、用語「約」は公称値（±１０％許容差）のプラスまたはマイナス１０％を指すことができる。例えば、約５０のサブフレーム時間間隔は４５〜５５のサブフレーム時間間隔を指すことができる。
【００１５】
ＨＡＲＱは、雑音のある無線通信チャンネルからデータがエラー訂正機構によって保護される処理になり得る。ＨＡＲＱは、異なるバージョンのタイプ、すなわち構成を用いることができる。例えば、増分冗長性ＨＡＲＱにおいて、受信機（例えば、トランシーバ）が誤ったデータを検出した場合、受信機（例えば、ＰＵＳＣＨを有するｅＮＢ）はこのデータを破棄してもよい。そのデータの受信機は、何らかの誤ったデータが検出されれば、ＮＡＣＫを送信してもよい。送信側は、同一のデータを再び送信することができる。しかし、それには異なる群の符号化ビットが用いられる（例えば、冗長性が異なったバージョン）。受信機は、送信側からの新たなデータと以前に受信される誤ったデータとを組み合わせることができる。このように、成功裡にビットを復号化する見込みは、各々の送信で向上することができる。その処理は、受信機がデータを復号化することができなくて最大パケットエアインターフェース遅延が到達していない限り、繰り返すことができる。増分冗長性ＨＡＲＱの利点は、各々の再送信で、符号化率を引き下げられることである。その一方で、他のタイプのＨＡＲＱにおいて、同じ符号化率を各々の再送信で用いてもよい。
【００１６】
ＨＡＲＱは、先行する送信に由来する以前の誤ったデータの各々を受信機が新たな送信に組み合わせる処理を含むことができる。しかし、ＨＡＲＱの短所は、送信側が多くの送信を試みる際に不十分な無線状態である場合、あまりにも多くの制御オーバヘッドになり得ることである。ＴＴＩバンドリングは、冗長性バージョン（ＲＶ）を用いて、符号化ビットの新たな群を備えた誤ったデータを再送信することにより、ＨＡＲＱシグナリングオーバヘッドを縮小する代替機構を提供する。ＲＶは、連続ＴＴＩの同じビット群のわずかなバージョンしか送信できず、またノードは、該ノードが成功裡にビットを復号化する場合、フィードバック指標（例えば、ＨＡＲＱ  ＡＣＫ／ＮＡＣＫ）を返送することができる。
【００１７】
一例において、ＶｏＩＰパケット到達率は、１つのＶｏＩＰパケット（全てのＨＡＲＱ再送信を含む）の送信のために潜在的に割り当て可能であるＴＴＩの最大数を、制限することができる。アップリンクＶｏＩＰトラヒックモデルは、２０ｍｓ  ＶｏＩＰパケット到達率を有することができる。ここで、１つのパケットの送信のために割り当て可能であるＴＴＩの最大数は、連続するＶｏＩＰパケット間の重複または並行無しに、２０に等しい。ＶｏＩＰサービスは、パケットエアインターフェース遅延または待ち時間に対して５０ｍｓ制約を有することができる。パケットエアインターフェース待ち時間制約は、割り当てられ得るＨＡＲＱ再送信の最大数と予想ＨＡＲＱ再送信期間（例えばＨＡＲＱ  ＲＴＴ）とに、直接的な影響を及ぼすことができる。
【００１８】
レガシーＬＴＥ  ＰＵＳＣＨ  ＶｏＩＰ送信について、ＦＤＤのＴＴＩバンドリング機構を、表１および図３に示すことができる。ＶｏＩＰパケットのＲＬＣ  ＳＤＵ全体は、ＰＵＳＣＨ  ２０６ａにおいて連続する４つのサブフレーム２０２（ＴＴＩ）を含む１つのＴＴＩバンドル２２０ａを用いて、無線デバイスにより送信され得る。ＨＡＲＱ  ＡＣＫ／ＮＡＣＫ  ２０８ａフィードバックは、ノードにより提供され得る。その送信は周波数ドメインで単一の物理リソースブロック（１ＰＲＢ）を占めることができる。ＦＤＤのＴＴＩバンドリング割当てのＨＡＲＱ再送信期間２３０ａ（例えばＨＡＲＱ  ＲＴＴ）は、１６のサブフレームと等しくなり得る。１６サブフレームＨＡＲＱ  ＲＴＴは、ＴＴＩバンドルの最大４回の再送信２５０ａ、２５２ａ、２５４ａ、および２５６ａが５２のサブフレームのエアインターフェースＶｏＩＰ待ち時間制約に割り当てられることを可能にする。したがって、４回の再送信をすべて用いるシナリオでは、最大で１６のＴＴＩは、１つのＶｏＩＰパケットの送信（例えばＰＵＳＣＨ）に用いられ得る。
【００１９】
ＰＵＳＣＨホッピング（表１中）は、周波数ダイバーシティおよび干渉平均化を提供することによって、アップリンク性能を向上する機構を指すことができる。ＰＵＳＣＨホッピングを、サブフレーム間（インターサブフレーム）またはサブフレーム内（イントラサブフレーム）とすることができる。ＲＬＣ分割は、無線インターフェースを通して実際に送信することができるサイズに上層パケットを適応させるべく、上層パケットの分割および再構成を可能にする。ＲＬＣ分割では、無線デバイスはＲＬＣ  ＳＤＵを分割して、連続ＴＴＩのセグメントを送信することができる。しかし、ＲＬＣ分割は、ＨＡＲＱフィードバックエラーに起因するパケット損失に対して、オーバヘッド、制御シグナリング、および脆弱性を増加させ得る。ＴＴＩバンドリングはＲＬＣ分割の代替例を提供することができる。あるいは、ＴＴＩバンドリングをＲＬＣ分割と共に用いることができる。
【００２０】
【表１】
0005967286.tif 000002
【００２１】
図３は、ＦＤＤのＴＴＩバンドリング解決方法を示す。バンドルサイズは、単一のＲＬＣ  ＳＤＵに起因するトランスポートブロック（ＴＢ）の４つの冗長性バージョン（ＲＶ）を備えた４つの送信に固定され、ＨＡＲＱ処理２０４の番号０を有する連続ＴＴＩにおいて送信され得る。一例において、１つのパケット（例えばＶｏＩＰパケットまたはＲＬＣ  ＳＤＵ）は１つのＨＡＲＱ処理に対応し得る。いくつかのＨＡＲＱ処理は、ＨＡＲＱ  ＲＴＴ（または単一のＨＡＲＱ再送信がパケットに用いられる場合、ＴＴＩバンドル）内に送信され得るＨＡＲＱ処理の数を指すことができる。別の例において、ＨＡＲＱ処理の数は、パケットエアインターフェース待ち時間の時間間隔内に送信され得るＨＡＲＱ処理の数を指すことができる。結局、４つの送信がノード（例えばｅＮＢ）によって受信され復号化されている。ＨＡＲＱフィードバックは、無線デバイスに送信され得る。一例において、ＰＵＳＣＨ送信は、最大で１ｍｓ遅延のＰＵＳＣＨ送信と、ノードによりＰＵＳＣＨを復号化および処理する際の最大で３ｍｓの遅延とがあり得る。したがって、フィードバックはＴＴＩ＃７（またはサブフレーム７）において可能になり得る。さらにまた、ＨＡＲＱ  ＡＣＫ／ＮＡＣＫ送信が最大で１ｍｓ遅延し、無線デバイス（例えば、ＵＥ）によりＨＡＲＱ  ＡＣＫ／ＮＡＣＫの復号化および処理が最大で３ｍｓ遅延した後に、無線デバイスはＰＵＳＣＨに関するフィードバックを受信することができる。そのため、無線デバイスによるパケットの最も速いＨＡＲＱ再送信は、ＴＴＩ＃１１あるいはサブフレーム１２（またはＨＡＲＱ  ＡＣＫ／ＮＡＣＫ復号化および処理が２ｍｓ未満である場合にＴＴＩ＃１１もしくはサブフレーム１１）において、可能になり得る。これにより、バンドルサイズが４である最短のＨＡＲＱ  ＲＴＴは、１２ｍｓ（または１１ｍｓ）であり得る。
【００２２】
一例において、無線デバイスは、巡回冗長検査（ＣＲＣ）２１０、復号化２１２、およびレートマッチング（ＲＭ）２１４を提供し、ＴＴＩバンドル内のＴＴＩについていくつかの冗長性バージョン（例えば、ＲＶ０、ＲＶ１、ＲＶ２。およびＲＶ３）を生成し得る。ＲＬＣ  ＳＤＵ全体に対応するいくつかの冗長性バージョン（ＲＶ）は、ＴＴＩバンドルの連続ＴＴＩで送信され得る。ＴＴＩバンドル（例えばトランスポートブロック）の最後の冗長性バージョンが、ノード（例えばｅＮＢ）によって受信される場合、ＨＡＲＱフィードバックは無線デバイスに送信され得る。
【００２３】
ＴＴＩバンドリング機構に基づいたレガシーＬＴＥ  ＰＵＳＣＨ  ＶｏＩＰ送信設計の向上は、情報１ビットあたりの送信エネルギー量を増加させることができ、アップリンクカバレッジエンハンスメントを提供し得る。例えば、レガシーＰＵＳＣＨ  ＶｏＩＰ送信は、１つのＶｏＩＰパケットの送信に利用可能であってもよい最大２０のＴＴＩから１６のＴＴＩを用いてもよい。向上はＴＴＩバンドルサイズを増加させ得る。したがって、ＨＡＲＱ再送信はすべて１つのＶｏＩＰパケットの送信に利用可能な２０のＴＴＩを用いる。
【００２４】
ＴＴＩバンドリング機構は、ＰＵＳＣＨ送信（例えばＰＵＳＣＨ  ＶｏＩＰ送信）を向上するべく、様々な方法を用いて変更することができる。ＴＴＩバンドリング機構は、利用可能なリソースを効率的に使用し、送信の時間および／または周波数ダイバーシティを最大化することによってアップリンクサービス（例えば、アップリンクＶｏＩＰサービス）のカバレッジ性能を最大化するべく、変更し得る。一例において、ＴＴＩバンドリング機構は、ＨＡＲＱ再送信期間（すなわち、ＨＡＲＱ  ＲＴＴ）の短縮および／またはＴＴＩバンドルサイズの増加を行うべく、変更し得る。
【００２５】
図４は、関連するＨＡＲＱ  ＡＣＫ／ＮＡＣＫ２０８ｂを有するＰＵＳＣＨ２０６ｂのＨＡＲＱ再送信期間（すなわち、ＨＡＲＱ  ＲＴＴ２３０ｂ）を減少することによるＴＴＩバンドリングエンハンスメントを示す。レガシーＴＴＩバンドル再送信遅延は、１６のサブフレームから１２のサブフレームに減らされてもよい。その結果、各々が４つＴＴＩ（すなわち、総計で２０ＴＴＩ）を有する５つのＴＴＩバンドル２２０ｂ（すなわち、５つの再送信２５０ｂ、２５２ｂ、２５４ｂ、２５６ｂ、および２５８ｂ）は、パケットエアインターフェース待ち時間２３２ｂの時間間隔５２ｍｓ（すなわち、５２サブフレーム）で、送信され得る。５回の再送信がすべて各々のＶｏＩＰパケットに用いられる場合、１００パーセント（１００％）のサブフレーム利用は、２０ＴＴＩすべてを用いて達成することができる。図４の縮小再送信期間解決方法（すなわち、解決方法１）を、「４ＴＴＩ、５ＲｅＴｘ」として表すことができる。ここで、「＃ＴＴＩ」はＴＴＩバンドルサイズを表し、「＃ＲｅＴｘはＨＡＲＱ再送信の最大数を表わす。縮小再送信期間解決方法は、２０のＴＴＩのパケット到達率２３４ａを保持し得る。ここで、用いられるＨＡＲＱ処理の数は、４の代わりに３であってよい。
【００２６】
あるいは、デフォルト４ＴＴＩバンドルサイズを増加させてもよい。例えば、ＰＵＳＣＨ  ＴＴＩバンドルサイズは、２０、１０、または８ＴＴＩまで拡張され得る（すなわち、解決方法２）。図５〜８は、ＴＴＩバンドルサイズを２０ＴＴＩにまで拡張することによるＴＴＩバンドリングエンハンスメントを示す。一例において、１つのＴＴＩバンドルサイズを最大で２０ＴＴＩまで増加させることで、ＶｏＩＰパケット送信に使用され得るＴＴＩの総数を増加させることができる（例えば、レガシーＰＵＳＣＨ送信において１６ＴＴＩの代わりに２０ＴＴＩ）。２０ＴＴＩを有するＴＴＩバンドルは、図５に示すように、連続ＴＴＩバンドリング割当てとして、または図６に示すようにインターリーブＴＴＩバンドリング割当てとして、実装されてもよい。
【００２７】
図５は、各々のＴＴＩバンドルについて単一のＨＡＲＱ  ＡＣＫ／ＮＡＣＫ２０８ｃを有するＰＵＳＣＨ２０６ｃの単一のＨＡＲＱ送信２５０ｃを持つ、サイズが２０の連続したＴＴＩであるＴＴＩバンドル２２０ｃを示す。２０の連続ＴＴＩを有するＴＴＩバンドルは、単一のＨＡＲＱ処理を用いることができる。なぜなら、パケットのＴＴＩのすべてが１回の送信で用いられてもよいからである。２０の連続ＴＴＩを有するＴＴＩバンドルは、２０ＴＴＩパケットエアインターフェース待ち時間２３２ｃで送信され得る。これは、ＶｏＩＰサービスの約５０サブフレーム時間間隔制約内である。図５の解決方法（すなわち、解決方法２）は、「２０ＴＴＩ、１ＲｅＴｘ、連続ＴＴＩ割当て」として、表せ得る。ここで、「連続ＴＴＩ割当て」は、連続ＴＴＩを有するＴＴＩバンドルを表す。
【００２８】
図６は、各々のＴＴＩバンドルについて単一のＨＡＲＱ  ＡＣＫ／ＮＡＣＫ２０８ｄを有するＰＵＳＣＨ２０６ｄの単一のＨＡＲＱ送信２５０ｄを持つ、サイズが２０インターリーブＴＴＩであるＴＴＩバンドル２２０ｄを示す。各々のインターリーブＴＴＩは、ＰＵＳＣＨ  ＴＴＩバンドルの中ではないＴＴＩによって分離され得る。２０のインターリーブＴＴＩを有するＴＴＩバンドルは、および２つのＨＡＲＱ処理を用いることができる。なぜなら、パケット用のＴＴＩは、別のパケットまたは処理のＴＴＩによってインターリーブされ得るからである。２０のインターリーブＴＴＩを有するＴＴＩバンドルは、４０（または３９）のＴＴＩパケットエアインターフェース待ち時間２３２ｄにより送信され得る。これは、ＶｏＩＰサービスの約５０サブフレーム時間間隔制約内である。そのＴＴＩバンドルについて２０および１０のＴＴＩを用いる拡張バンドルサイズ解決方法は、２０ＴＴＩのパケット到達率２３４ａを保持し得る。図６の解決方法（すなわち、解決方法２）は、「２０ＴＴＩ、１ＲｅＴｘ、インターリーブＴＴＩ割当て」として、表せ得る。ここで、「インターリーブＴＴＩ割当て」は、インターリーブＴＴＩを有するＴＴＩバンドルを表す。
【００２９】
図６および８に示すようなインターリーブ割当ての場合、ＴＴＩバンドルのＴＴＩは、空のサブフレームまたは他のパケット（例えば、ＶｏＩＰパケット）により搬送されるサブフレームによりインターリーブされ得る。インターリーブＴＴＩバンドルは、ＶｏＩＰエアインターフェース待ち時間２３２ｄを犠牲にして、送信間隔２５０ｄ（２０ＴＴＩから４０ＴＴＩまで）およびチャンネル時間／周波数ダイバーシティを増加し得る。例えば、インターリーブＴＴＩバンドリングパターンは、関連するＰＵＳＣＨ送信の周波数ダイバーシティを最大化するべく設計されてもよい。ＰＵＳＣＨ周波数ホッピング機構（ＴＴＩバンドリングにより使用される）は、まさに奇数または偶数のサブフレーム指標（図６および図８に示す）の代わりに、全ての物理サブフレーム指標（すなわち、０〜９）が存在するように、異なるフレーム由来のサブフレームを含むべく割当てパターンを設計することにより実装される。
【００３０】
あるいは、連続またはインターリーブＴＴＩバンドリング割当ては、５つの標準ＴＴＩバンドルの連続送信として解釈される。連続ＴＴＩバンドルについては、図７に示すように、各々の連続ＴＴＩバンドルに５つのＨＡＲＱ  ＡＣＫ／ＮＡＣＫ２０８ｅがあり、インターリーブＴＴＩバンドルについては、図８に示すように、各々のインターリーブＴＴＩバンドルに５つのＨＡＲＱ  ＡＣＫ／ＮＡＣＫ２０８ｆがある。２０の連続ＴＴＩを有するＴＴＩバンドル  は、２０ＴＴＩ２３２ｃの最小待ち時間によって特徴付けられる（図５および７）。しかし、パケットは、時間ダイバーシティの欠如により性能損失を被る可能性がある。
【００３１】
単一のＨＡＲＱ  ＡＣＫ／ＮＡＣＫ  による２０ＴＴＩ単一送信は、いくつかの無線デバイスにはロバストである可能性がある。したがって、連続およびインターリーブＴＴＩバンドリング割当ての両方の例では、中間ＨＡＲＱフィードバック２０８ｅおよび２０８ｆ（例えば、各々の４つのＴＴＩあたり１つの中間ＨＡＲＱフィードバック）は、パケットが成功裡に復号化された場合にパケット送信（例えば、ＶｏＩＰパケット送信）の早期終了機構を可能にするべく、用いられ得る。このことは、図７の変更された連続的解決方法および図８の変更されたインターリーブ解決方法に示すように、システムにおいて、よりいっそう効率的なリソースの利用を可能にし得る。図７の解決方法（すなわち、解決方法２）は、早期終了機構を有する「２０ＴＴＩ、１ＲｅＴｘ、連続ＴＴＩ割当て」として表し得る。図８の解決方法（すなわち、解決方法２）は、早期終了機構を有する「２０ＴＴＩ、１ＲｅＴｘ、インターリーブＴＴＩ割当て」として表し得る。
【００３２】
図９に示すように、１０のサブフレームに等しいＴＴＩバンドル２２０ｇのサイズも規定され得る。一例において、ＰＵＳＣＨ２０６ｇの２つのＨＡＲＱ再送信２５０ｇおよび２５２ｇは、約５０サブフレームパケットエアインターフェース待ち時間などのＶｏＩＰタイミング制約内に留まるべく、用いられてもよい。１０ＴＴＩを有するＴＴＩバンドルもまた、ＴＴＩの最大数（すなわち、２０ＴＴＩ）を利用してもよい。ＶｏＩＰパケット到達率にＨＡＲＱ再送信時間を合致させるべく、およびＶｏＩＰタイミング制約に合致させるべく、再送信期間を２０ＴＴＩまたは３０ＴＴＩに等しくすることができる。図９は、パケットエアインターフェース待ち時間２３２ｇの時間間隔３０ｍｓ（すなわち、３０サブフレーム）内で送信された総計２０ＴＴＩの１０ＴＴＩの２つのＨＡＲＱ再送信２５０ｇおよび２５２ｇでＴＴＩバンドル２２０ｇのサイズを１０ＴＴＩに拡張することによるＴＴＩバンドリングエンハンスメントを示す。各々のＴＴＩバンドルは、ＨＡＲＱ  ＡＣＫ／ＮＡＣＫ２０８ｇに関連付けられ得る。１０ＴＴＩバンドリング割当てが３０サブフレームパケットエアインターフェース待ち時間を使用する場合、ＨＡＲＱ再送信期間（すなわち、ＨＡＲＱ  ＲＴＴ２３０ｂ）を２０ＴＴＩとすることができ、また用いられるＨＡＲＱ処理の数は図９に示すように２であってもよい。１０ＴＴＩバンドリング割当てが４０サブフレームパケットエアインターフェース待ち時間を使用する場合、ＨＡＲＱ再送信期間を３０ＴＴＩとすることができ、また用いられるＨＡＲＱ処理の数は３（不図示）であってもよい。図９の解決方法（すなわち、解決方法２）は、「１０ＴＴＩ、２ＲｅＴｘ」として表わすことができる。また、図９は、第１の再送信２５０ｇおよび第２の再送信２５０ｈのための異なるＲＶ構成を示す。
【００３３】
図１０に示すように、８つのサブフレームに等しいＴＴＩバンドル２２０ｈのサイズも規定され得る。一例において、ＰＵＳＣＨ２０６ｈの最大の２つのＨＡＲＱ再送信２５０ｈおよび２５２ｈを用いてもよい。したがって、１６ＴＴＩのみをＶｏＩＰパケット送信に用いることが可能である。さらなる送信エネルギー利得がないほどに最小化することは、８ＴＴＩによるＴＴＩバンドルなどの異なる構成であっても、２０ＴＴＩの代わりに１６ＴＴＩがパケットに用いられる場合に達成可能である。レガシータイプのＨＡＲＱタイミングを用いることで、ＶｏＩＰパケット送信の待ち時間を縮小することが可能であり、このことは時間ダイバーシティの欠如により性能損失を引き起こす場合がある。
【００３４】
図１０は、パケットエアインターフェース待ち時間２３２ｈの時間間隔２４ｍｓ（すなわち、２４サブフレーム）内で送信された総計１６ＴＴＩの８ＴＴＩの２つのＨＡＲＱ再送信２５０ｈおよび２５２ｈで、ＴＴＩバンドル２２０ｈのサイズを８ＴＴＩに拡張することによるＴＴＩバンドリングエンハンスメントを示す。各々のＴＴＩバンドルは、ＨＡＲＱ  ＡＣＫ／ＮＡＣＫ２０８ｈに関連付けられ得る。８ＴＴＩバンドリング割当てが２４サブフレームパケットエアインターフェース待ち時間を用いる場合、ＨＡＲＱ再送信期間（すなわち、ＨＡＲＱ  ＲＴＴ  ２３０ｂ）を１６ＴＴＩとすることができ、また用いられたＨＡＲＱ処理の数は図１０に示すように２であってもよい。ＨＡＲＱ  ＲＴＴが１６ＴＴＩと等しい場合、８ＴＴＩを用いる拡張バンドルサイズ解決方法は２４ＴＴＩ（例えばサブフレーム２４での第２のＶｏＩＰ送信２４４およびサブフレーム４８での第３のＶｏＩＰ送信２４６）のパケット到達率２３４ａを用いることができる。８ＴＴＩバンドリング割当てが３２サブフレームパケットエアインターフェース待ち時間を用いる場合、ＨＡＲＱ再送信期間を２４ＴＴＩとすることができ、また用いられたＨＡＲＱ処理の数は３（不図示）であってもよい。ＨＡＲＱ  ＲＴＴが２４のＴＴＩと等しい場合、８つのＴＴＩを用いる拡張バンドルサイズ解決方法は３２ＴＴＩ（不図示）のパケット到達率２３４ａを用いることができる。図１０の解決方法（すなわち、解決方法２）は、「８ＴＴＩ、２ＲｅＴｘ」として表わすことができる。
【００３５】
ＴＴＩバンドリングエンハンスメント例の主な特徴のうちのいくつかは、簡潔に表２にまとめることができる。
【００３６】
【表２】
0005967286.tif 000003
【００３７】
ＴＴＩバンドリングエンハンスメントをＦＤＤおよびＴＤＤモードに適用することができる。ＴＤＤモードにおいて、ＴＴＩバンドリングエンハンスメントは各々のＴＤＤアップリンクダウンリンク（ＵＬ−ＤＬ）構成に適していると思われる。ＦＤＤでは、各々のパケット（例えばＶｏＩＰパケット）に許可されるＴＴＩの最大数は、２０ＴＴＩになり得る。ＬＴＥ  ＴＤＤでは、各々のアップリンクサブフレームに２ＴＴＩが割り当てられる場合、各々のパケット（例えばＶｏＩＰパケット）に許容されるＴＴＩの最大数は、２〜１２ＴＴＩの間の範囲になり得る。例えば、ＵＬ−ＤＬ構成０は、６つのアップリンクサブフレーム（ここで他の４つのサブフレームはダウンリンクまたは特殊である）を持ち得るので、１２ＴＴＩがパケットに利用可能である。同様に、ＵＬ−ＤＬ構成５は１つのアップリンクサブフレーム（ここで他の９つのサブフレームはダウンリンクまたは特殊である）を持つことができる。したがって、２つのＴＴＩがパケットに利用可能である。ＦＤＤでは、無線フレームの１０のサブフレームは、すべてアップリンクに割り当てられているので、２０ＴＴＩがパケットに利用可能である。ＬＴＥ  ＴＤＤ、ＵＬ−ＤＬ構成０、１、２、３、４、５、および６は、それぞれ、６、４、２、３、２、１、および５つのアップリンクサブフレームを有することができ、それぞれ利用可能なＴＴＩの最大数である１２、８、４、６、４、２、および１０ＴＴＩに対応している。ＵＬ−ＤＬ構成０、３、および６は、利用可能なＴＴＩの最大数は、約５０サブフレーム未満のエアインターフェース待ち時間（すなわち、５０ｍｓ）内で依然として動作している間、使用される場合があるので、ＴＴＩバンドリングエンハンスメントに対する変更形態に基づいて向上し得る。
【００３８】
ＨＡＲＱ再送信期間（すなわちＨＡＲＱ  ＲＴＴ）を縮小またはＴＴＩバンドルサイズを増加させるＴＴＩバンドリングエンハンスメントに加えて、各々のＴＴＩで送信された１群の冗長性バージョン冗長性バージョン（ＲＶ）が、さらに最適化されてもよい。例えば、レガシーＴＴＩバンドリング機構は、トランスポートブロックの冗長性が異なったバージョンを用いることができる。それは異なる連続ＴＴＩで送信されてもよい。例えば、総計４つの可能なＲＶ（例えばＲＶ０、ＲＶ１、ＲＶ２、およびＲＶ３）が用いられる場合、異なるＲＶを、１つのＴＴＩバンドル内のＴＴＩに割り当てることができ、次に同じＲＶパターンをＴＴＩバンドルのＨＡＲＱ再送信のために繰り返すことができ、それは４つのＴＴＩを有するＴＴＩバンドルに有効であり得る。
【００３９】
ＴＴＩバンドルサイズを増加する場合のシナリオについて、可能性のある向上として、特定のＲＶパターンおよび／またはＴＴＩバンドル中で各々のＴＴＩのＲＶを設定するために用いられる割り当てルールを含んでもよい。例えば、｛ＲＶ０、ＲＶ１、ＲＶ２、ＲＶ３｝または｛ＲＶ０の繰り返し、ＲＶ２、ＲＶ３、ＲＶ１｝パターンは、他の送信（例えば初期再送信または後続の送信）で異なるパターンを有する初期再送信または後続の送信で用いられてもよい。他の強化されたパターンも用いられてもよい。
【００４０】
畳み込み符号（ＣＴＣ）では、システマティクビットは、復号化処理にとって重要性がより高くなり得る。したがって、一例において、全ての冗長性バージョン｛ＲＶ０、ＲＶ１、ＲＶ２、ＲＶ３｝の単純な連続的繰り返しを用いる代わりに、追加の向上を行ってさらなる最適化を提供するべく、冗長性バージョン０（ＲＶ０）または冗長性バージョン２（ＲＶ２）をより頻繁に送信してもよい。一例において、他のＲＶよりもよりいっそう頻繁にＲＶ０またはＲＶ２を使用することを様々なＴＴＩバンドリング解決方法に適用可能であり、それにはレガシーＴＴＩバンドリング（４ＴＴのＴＴＩバンドルおよびサブフレームＨＡＲＱ  ＲＴＴの１６サブフレームを有する）と解決方法１および２とが含まれる。
【００４１】
図１１および表３は、リンクレベル評価を示し、ＴＴＩバンドリングエンハンスメントの性能をＬＴＥ  ＰＵＳＣＨ  ＶｏＩＰ送信スキームのレガシーＴＴＩバンドリングと比較する。ＴＴＩバンドリングエンハンスメント（例えば解決方法１および２）に基づいた、レガシーＬＴＥ  ＰＵＳＣＨ  ＶｏＩＰ送信スキームおよびＰＵＳＣＨ送信スキームの性能例を、図１１に示すことができる。表３は、周波数平坦（加法性ホワイトガウスノイズ（ＡＷＧＮ））および周波数選択性チャンネル（拡張歩行者Ａモデル（ＥＰＡ）および拡張典型的都市モデル（ＥＴＵ））において、レガシーＴＴＩバンドリングとＴＴＩバンドリングエンハンスメントとを用いた性能例を示す。ドップラーシフトＦＤ＝｛０、７．２ヘルツ（Ｈｚ）、７２Ｈｚ｝の群を用いて、異なるユーザ移動度（例えば、それぞれ、０ｋｍ／ｈ、３ｋｍ／ｈ、および３０ｋｍ／ｈ）シナリオをモデル化すること、および時間ダイバーシティに対するアップリンクＶｏＩＰ送信の感度をチェックすることができる。性能例は、１つのＰＲＢリソース割当てと３２８ビットのトランスポートブロックサイズとを用いる。ブロック誤り率（ＢＬＥＲ）リンクレベルのシミュレーション例の結果は、表３にまとめることができる。それらは図１１にグラフ化して示すこともできる。２Ｘ１０−２に等しいＢＬＥＲ必要条件を図示した例に適用した。図１１および表３の例は、チャンネル評価エラーの影響を除外してカバレッジ増加をチェックするべく、リンクレベル分析において理想的なチャンネル知識を用いる。図１１は、ＢＬＥＲ８５４と信号対ノイズ比（ＳＮＲ）または信号対干渉プラスノイズ比（ＳＩＮＲ）８５２とを、ＦＤ＝７２ＨｚのＥＰＡ８５０について比較する。解決方法１  ８６２、２０インターリーブＴＴＩによる解決方法２  ８６４、および１０ＴＴＩによる解決方法２  ８６６のカバレッジエンハンスメント解決方法を、レガシーＴＴＩバンドリング割当て８６０と比較した（すなわち、ＬＴＥ  Ｒｅｌ．  ８／９／１０）。表３は、カバレッジエンハンスメント解決方法およびレガシーＴＴＩバンドリング割当てのＳＮＲ／ＭＣＬ性能の要約を提供する。
【００４２】
【表３】
0005967286.tif 000004
【００４３】
図１１および表３に示したシミュレーション結果の分析は、周波数平坦ＡＷＧＮチャンネルにおいて、様々な検討されたスキームは、ＴＴＩの総数が１６ＴＴＩから２０ＴＴＩに増加した場合に、１ｄＢ増加を提供し得る。したがって、情報１ビットあたりのエネルギーは、約１ｄＢ増加し得る。周波数選択性チャンネルでは、提案されたＴＴＩバンドリングエンハンスメントスキームの性能はユーザ移動度シナリオに依存し得る。例えば、静止のシナリオ（ＦＤ＝０ＨｚのＥＰＡおよびＥＴＵ）では、相対的なＳＮＲ利得は０．４から最大で１．３ｄＢに変動し得る。２つの解決方法（例えば４ＴＴＩ、５ＲｅＴｘ、および１０ＴＴＩ、２ＲｅＴｘ）は、優れた性能を示し得る。ＥＰＡチャンネルモデルでは、１０ＴＴＩを有する解決方法１および解決方法２の相対的なＳＮＲ利得は、わずかに１ｄＢの向上目標を超えることができる。低移動度シナリオ（ＦＤ＝７．２ＨｚのＥＰＡおよびＥＴＵ）では、観察された相対的ＳＮＲ利得は１ｄＢ未満であり得る。このことは、検討されたスキームのより短い時間送信間隔によりチャンネル時間ダイバーシティの欠如によると考えられる。高移動度シナリオ（ＦＤ＝７２ＨｚのＥＰＡおよびＥＴＵ）では、観察された相対的ＳＮＲ利得はわずかに１ｄＢ（例えば０．９〜１．４ｄＢ）を越えることができる。ＳＮＲ向上は、時間領域で増加したチャンネル改変形態によるものであり、これによりチャンネル時間ダイバーシティ特性を利用し得る。
【００４４】
別の例において、ＴＴＩバンドリング構成の適応選択は無線デバイス（例えばＵＥ）方式で選択することができる。適応ＵＥ固有のＴＴＩバンドリングは、サービス（例えば、ＶｏＩＰサービス）のカバレッジおよびシステム性能を向上するべく、用いられ得る。例えば、ＴＴＩバンドルのサブフレームの数は、遅延量を考慮することおよびＨＡＲＱタイミング操作を保存することによって、リンク適応手順の一部として適応的にセットすることができる。異なるリンク量は、無線デバイスにあってもよいカバレッジギャップを補うべく、異なる無線デバイス（例えばＵＥ）に用いることができる。例えば、ノード（例えばｅＮＢ）が深いシャドウイングにある場合、より長い送信期間はノードが情報１ビットあたりの信号エネルギーの蓄積と信号（例えばＰＵＳＣＨ）を復号化するのを促し得る。電力制限モードでは、割当て帯域幅は、信号パワースペクトル密度を増加させるべく、縮小されてもよい。また、より長いＴＴＩバンドリングを適用してＳＮＲを増加させることができる。ＶｏＩＰサービスは、低レートサービスになり得るので、最大出力での１つの物理リソースブロックの送信はスループット必要条件を維持する間に最大出力スペクトル密度を提供できる。適応ＴＴＩバンドリングはＨＡＲＱ処理のリンク適応（すなわち適応ＴＴＩバンドリング拡張）か適応結合に基づいたＵＥ固有のＴＴＩバンドルサイズを適応して変更することにより行なうことができる。
【００４５】
適応ＴＴＩバンドリング拡張は、リンク適応に基づいてＵＥ固有のＴＴＩバンドルサイズを適応的に定義すべく、また不十分なカバレッジを経験する無線デバイス（例えばＵＥ）により多くのＴＴＩを用いるべく、使用され得る。例えば、レガシーＬＴＥ  ＨＡＲＱタイミング操作と提携するべく、ＴＴＩバンドリングは４、８、１２、１６、または２０のサブフレームを含むことができる。
【００４６】
ＨＡＲＱ処理の適応結合では、ノード（例えばｅＮＢ）からのＡＣＫ／ＮＡＣＫフィードバックを待たずに連続して時間内に同じ情報ビットでＴＴＩバンドル（各々のバンドルは少なくとも４つのサブフレームを含む）を送信するべく、いくつかのＨＡＲＱ処理（例えば並列ＨＡＲＱ処理）を用いることができる。ＴＴＩバンドルは、冗長性が異なったバージョンを有する信号の搬送または単純なシーケンス繰り返し（例えば、同一のＲＶバージョンパターンによる）を用いることができる。ＨＡＲＱ処理の適応結合では、ノードは、どのＨＡＲＱ処理が同じ情報ビットを搬送するかを無線デバイスに通知することができる。
【００４７】
ＴＴＩバンドリングエンハンスメントは、縮小再送信期間（すなわち、解決方法１）、拡張ＴＴＩバンドルサイズ（すなわち、解決方法２）、ＲＶの変更形態、または適応ＵＥ固有のＴＴＩバンドリングを含み得るものであるが、ＬＴＥ  ＰＵＳＣＨ  ＶｏＩＰ送信設計の向上を提供可能であり、レガシーＬＴＥ解決方法（例えば、レガシーＴＴＩバンドリング割当て）と比較して約１ｄＢのカバレッジ性能利得を生成し得る。
【００４８】
図１２のフローチャートに示すように、別の例は物理アップリンク共有チャンネル（ＰＵＳＣＨ）送信を編成する方法５００を提供する。この方法は機械に対する命令として実行されてもよい。ここで命令は少なくとも１つのコンピュータ可読媒体上に含まれる。この方法は、ブロック５１０に示すように、ノードで、ハイブリッド自動繰り返し要求（ＨＡＲＱ）処理のためのＰＵＳＣＨ送信を少なくとも１つのＰＵＳＣＨ  ＴＴＩバンドル内で、約５０サブフレーム時間間隔で少なくとも２０ＴＴＩにバンドリングするべく、命令を有する送信時間間隔（ＴＴＩ）バンドリング構成情報）を生成する操作を含む。サブフレーム時間間隔が約５０内の少なくとも１のＰＵＳＣＨ  ＴＴＩバンドルのＰＵＳＣＨ信号を無線デバイスが送信可能にするＴＴＩバンドリング構成情報をこの無線デバイスに送信する操作は、ブロック５２０に示すように、以下の通りである。
【００４９】
一例において、約５０のサブフレーム時間間隔は、各々のパケットのボイスオーバーインターネットプロトコル（ＶｏＩＰ）エアインターフェース待ち時間制約を表わすことができる。少なくとも２０のＴＴＩは各々のパケットに割り当てられたＴＴＩの最大数になり得る。また、各々のパケットはＶｏＩＰパケット到達率が２０ＴＴＩであり得る。各々のＴＴＩは、無線フレームの１ミリ秒（ｍｓ）のサブフレームを含むことができる。少なくともＴＴＩバンドリング構成情報の少なくとも一部は、無線リソース制御（ＲＲＣ）シグナリングなどの上位層シグナリングを介して、無線デバイスに送信され得る。
【００５０】
一構成において、各々のＰＵＳＣＨ  ＴＴＩバンドルは、１２サブフレームＴＴＩバンドル再送信遅延を有する４つの連続ＴＴＩを含むことができ、無線デバイスの最大で５回のＨＡＲＱ再送信が、サブフレーム時間間隔が約５０内（例えば、５２サブフレーム時間間隔）で生じ得る。５回のＨＡＲＱ再送信全てがＰＵＳＣＨ信号の復号化に必要ではない（例えば、ＰＵＳＣＨ信号は、５よりも少ない数のＨＡＲＱ再送信で適切に復号化され得る）。したがって、２０未満のＴＴＩを使用することが可能であることから、少なくとも１つのＰＵＳＣＨ  ＴＴＩバンドルを、最大で少なくとも２０ＴＴＩをノードが送信して無線デバイスが受信することができる。用語「約（ａｐｐｒｏｘｉｍａｔｅｌｙ）」は公称値（±１０％許容差）のプラスまたはマイナス１０％を指すことができる。例えば、約５０のサブフレーム時間間隔は４５〜５５のサブフレーム時間間隔を指すことができる。一例において、各々のＰＵＳＣＨ  ＴＴＩバンドルは、周波数ドメインに４つの連続ＴＴＩと多数の物理リソースブロックを含むことができる。ＨＡＲＱフィードバック指標は各々の受信されたＰＵＳＣＨ  ＴＴＩバンドルに関連付けられ得る。ここで、ＨＡＲＱフィードバック指標は肯定応答（ＡＣＫ）または否定応答（ＮＡＣＫ）を含むことができる。ノードは、各々の受信されたＰＵＳＣＨ  ＴＴＩバンドルの無線デバイスへのＨＡＲＱフィードバック指標を送信することができる。１２のサブフレームＴＴＩバンドル再送信遅延を持つ４つの連続ＴＴＩを含むＰＵＳＣＨ  ＴＴＩバンドルは、ＰＵＳＣＨ  ＴＴＩバンドリングモード動作用の１つの無線デバイスのために構成された３つまでのＨＡＲＱ処理を有することができる。
【００５１】
別の構成では、各々のＰＵＳＣＨ  ＴＴＩバンドルは２０の連続ＴＴＩを含むことができる。ＨＡＲＱフィードバック指標は、ＰＵＳＣＨ  ＴＴＩバンドルに関連付けられ得る。または、複数の中間ＨＡＲＱフィードバック指標はＰＵＳＣＨ  ＴＴＩバンドルに関連付けられ得る。各々のＨＡＲＱフィードバック指標は、ＰＵＳＣＨ  ＴＴＩバンドルの少なくとも４ＴＴＩのフィードバックを提供するよう構成することができる。例えば、各々の中間ＨＡＲＱフィードバック指標は少なくとも４ＴＴＩのフィードバック（例えば、ＡＣＫ／ＮＡＣＫ）を提供することができ、単一のＨＡＲＱフィードバック指標は、ＰＵＳＣＨ  ＴＴＩバンドルに含まれる２０ＴＴＩのフィードバックを提供することができる。各々のＰＵＳＣＨ  ＴＴＩバンドルは、周波数ドメインに２０の連続ＴＴＩおよび多数の物理リソースブロックを含むことができる。２０の連続ＴＴＩは、ＰＵＳＣＨ  ＴＴＩバンドリングモード動作のための１つの無線デバイス用に構成された１つのＨＡＲＱ処理を含むことができる。
【００５２】
別の構成では、各々のＰＵＳＣＨ  ＴＴＩバンドルは２０のインターリーブＴＴＩを含むことができる。各々のインターリーブＴＴＩは、ＰＵＳＣＨ  ＴＴＩバンドル中のではないＴＴＩによって分離することができる。ＨＡＲＱフィードバック指標をＰＵＳＣＨ  ＴＴＩバンドルに関連付けることができる。または、複数の中間ＨＡＲＱフィードバック指標をＰＵＳＣＨ  ＴＴＩバンドルに関連付けることができる。各々のＨＡＲＱフィードバック指標は、ＰＵＳＣＨ  ＴＴＩバンドルの少なくとも４ＴＴＩにフィードバックを提供するよう構成することができる。各々のＰＵＳＣＨ  ＴＴＩバンドルは周波数ドメインに２０のインターリーブＴＴＩおよび多数の物理リソースブロックを含むことができる。２０のインターリーブＴＴＩは、ＰＵＳＣＨ  ＴＴＩバンドリングモード動作の異なる無線デバイス用に構成された２つのＨＡＲＱ処理を含むことができる。
【００５３】
別の構成では、各々のＰＵＳＣＨ  ＴＴＩバンドルは、２０サブフレームＴＴＩバンドル再送信遅延または３０サブフレームＴＴＩバンドル再送信遅延を含む１０の連続ＴＴＩを有することができる。ＨＡＲＱフィードバック指標は、各々の受信されたＰＵＳＣＨ  ＴＴＩバンドルに関連付けられ得る。そこでは、ＨＡＲＱフィードバック指標はＡＣＫまたはＮＡＣＫを含むことができる。ノードは、各々の受信されたＰＵＳＣＨ  ＴＴＩバンドルの無線デバイスへＨＡＲＱフィードバック指標を送信することができる。２０サブフレームＴＴＩバンドル再送信遅延について、２つのＨＡＲＱ処理は、ＰＵＳＣＨ  ＴＴＩバンドリングモード動作のための異なる無線デバイスのために構成することができる。３０サブフレームＴＴＩバンドル再送信遅延につい、３つのＨＡＲＱ処理は、ＰＵＳＣＨ  ＴＴＩバンドリングモード動作のための異なる無線デバイスのために構成することができる。
【００５４】
別の例では、初期ＨＡＲＱ送信に対応するＰＵＳＣＨ  ＴＴＩバンドル、および後続のＨＡＲＱ再送信に対応するＰＵＳＣＨ  ＴＴＩバンドルは、異なる数のＴＴＩを占めることができる。例えば、初期ＨＡＲＱ送信に対応するＰＵＳＣＨ  ＴＴＩバンドルは８つのＴＴＩ（連続またはインターリーブ）を含むことができる。また、後続のＨＡＲＱ再送信に対応するＰＵＳＣＨ  ＴＴＩバンドルは４つのＴＴＩ（連続またはインターリーブ）を含むことができる。一例において、各々のＰＵＳＣＨ  ＴＴＩバンドルは、初期ＰＵＳＣＨ送信またはＰＵＳＣＨ送信の後続のＨＡＲＱ再送信の１つの例に関連付けることができる。初期および後続のＨＡＲＱ再送信は、異なるＴＴＩバンドルサイズまたは構成を有し得る。別の例では、初期ＰＵＳＣＨ送信に対応するＰＵＳＣＨ  ＴＴＩバンドルは、８つの連続ＴＴＩを含むことができる。また、ＨＡＲＱ再送信に対応する残りのＰＵＳＣＨ  ＴＴＩバンドルは、１６サブフレームＴＴＩバンドル再送信遅延を有する４つの連続ＴＴＩを含むことができる。
【００５５】
別の構成では、ＰＵＳＣＨ  ＴＴＩバンドルは、相互情報を最大化してＴＴＩバンドル送信および再送信の最大復号化およびダイバーシティ利得を抽出すべく、冗長性が異なったバージョン（ＲＶ）を搬送し得る。例えば、ＰＵＳＣＨ  ＴＴＩバンドルのいくつかのＴＴＩは、ＲＶ１またはＲＶ３を有するいくつかのＴＴＩより大きい冗長性バージョン（ＲＶ）０を含むことができる、あるいは、ＲＶ２を有するＴＴＩの数は、ＰＵＳＣＨ  ＴＴＩバンドルのＲＶ１またはＲＶ３を有するＴＴＩの数より大きくなり得る。例えば、ＰＵＳＣＨ  ＴＴＩバンドルの１０の連続ＴＴＩについては、３つのＴＴＩがＲＶ０を有し得る。２つのＴＴＩがＲＶ１を有し得る。３つのＴＴＩがＲＶ２を有し得る。また、２つのＴＴＩはＲＶ３を有し得る。
【００５６】
方法は、リンク適応情報に基づいたユーザ機器（ＵＥ）固有のＴＴＩバンドルサイズを適応的に構成するノードをさらに含み得る。各々のＴＴＩバンドルは、４、８、１０、１２、１６、または２０のサブフレームのＴＴＩバンドルサイズを含むことができる。また、ＴＴＩバンドリング構成情報はＴＴＩバンドルサイズを含むことができる。
【００５７】
別の構成では、方法は、少なくとも２つのハイブリッド自動繰り返し要求（ＨＡＲＱ）処理を組み合わせるノードを適応的に、さらに含むことができる。各々のＨＡＲＱ処理はＰＵＳＣＨ  ＴＴＩバンドルを含むことができる。また、ＴＴＩバンドリング構成情報は、各々のＴＴＩバンドルの冗長性バージョン（ＲＶ）情報または単純なシーケンス繰り返し情報を含むことができる。
【００５８】
別の例では、方法は、約５０のサブフレーム時間間隔内に少なくとも１つのＰＵＳＣＨ  ＴＴＩバンドルを含むＰＵＳＣＨ信号送信を無線デバイスから受信し、受信したＰＵＳＣＨ信号からデータを復号化し、  ＴＴＩバンドリング構成情報および復号化データに基づいて無線デバイスへ少なくとも１つのハイブリッド自動繰り返し要求肯定応答（ＨＡＲＱ−ＡＣＫ）フィードバックを送信する、ノードをさらに含む。
【００５９】
別の例は、図１３のフローチャートに示すように、物理アップリンク共有チャンネル（ＰＵＳＣＨ）送信時間間隔（ＴＴＩ）バンドリングの方法６００を提供する。この方法は機械に対する命令として実行されてもよい。ここで命令は少なくとも１つのコンピュータ可読媒体または１つの非一時的マシン可読記憶媒体上に含まれる。この方法は、ブロック６１０において見られるように、無線デバイスで、ハイブリッド自動繰り返し要求（ＨＡＲＱ）処理のためのＰＵＳＣＨ送信を少なくとも２０ＴＴＩにバンドリングするための命令を含むＴＴＩバンドリング構成情報を、ノードから受信する操作を含む。最大で少なくとも２０ＴＴＩをバンドリングして少なくとも１つのＰＵＳＣＨ  ＴＴＩバンドルを形成する操作は、ブロック６２０に示すように、以下のとおりである。この方法の次の操作は、ブロック６３０に示すように、少なくとも１つのＰＵＳＣＨ  ＴＴＩバンドル、最大で少なくとも２０ＴＴＩを、約５０のサブフレーム時間間隔内のノードに送信することができる。
【００６０】
一構成において、各々のＰＵＳＣＨ  ＴＴＩバンドルは、１２サブフレームＴＴＩバンドル再送信遅延を有する４つの連続ＴＴＩを含むことができ、無線デバイスの最大で５回のＨＡＲＱ再送信である。約５０のサブフレーム時間間隔は、５２ミリ秒（ｍｓ）であり得る。ＨＡＲＱフィードバック指標は各々の受信されたＰＵＳＣＨ  ＴＴＩバンドルに関連付けられ得る。そこでは、ＨＡＲＱフィードバック指標はＡＣＫまたはＮＡＣＫを含むことができる。無線デバイスは、各々の受信されたＰＵＳＣＨ  ＴＴＩバンドルのノードからＨＡＲＱフィードバック指標を受信することができる。
【００６１】
別の構成では、各々のＰＵＳＣＨ  ＴＴＩバンドルは２０の連続ＴＴＩまたは２０のインターリーブＴＴＩを含むことができる。各々のインターリーブＴＴＩは、ＰＵＳＣＨ  ＴＴＩバンドルの中ではないＴＴＩによって分離され得る。ＨＡＲＱフィードバック指標は、ＰＵＳＣＨ  ＴＴＩバンドルに関連付けられ得る。または、複数の中間Ｈ中間ＨＡＲＱフィードバック指標は、ＰＵＳＣＨ  ＴＴＩバンドルに関連付けられ得る。各々のＨＡＲＱフィードバック指標は、ＰＵＳＣＨ  ＴＴＩバンドルの少なくとも４つのＴＴＩのフィードバックを提供するよう構成することができる。
【００６２】
別の構成では、各々のＰＵＳＣＨ  ＴＴＩバンドルは、２０サブフレームＴＴＩバンドル再送信遅延または３０サブフレームＴＴＩバンドル再送信遅延を有する１０の連続ＴＴＩを含む。ＨＡＲＱフィードバック指標は各々の受信されたＰＵＳＣＨ  ＴＴＩバンドルに関連付けられ得る。そこでは、ＨＡＲＱフィードバック指標はＡＣＫまたはＮＡＣＫを含むことができる。無線デバイスは、各々の受信されたＰＵＳＣＨ  ＴＴＩバンドルのノードからＨＡＲＱフィードバック指標を受信することができる。
【００６３】
図１４は、例ノード７１０および例無線デバイス７２０を示す。ノードは、ノードデバイス７１２を含み得る。ノードデバイスまたはノードは、無線デバイスと通信するよう構成することができる。ノードデバイスは、物理アップリンク共有チャンネル（ＰＵＳＣＨ）送信を編成するために構成することができる。ノードデバイスは、処理モジュール７１４およびトランシーバモジュール７１６を含むことができる。処理モジュールは、少なくとも１つのＴＴＩバンドルに約５０のサブフレーム時間間隔で少なくとも２０のＴＴＩでハイブリッド自動繰り返し要求（ＨＡＲＱ）処理のためのＰＵＳＣＨ送信をバンドルするべく、命令を有する送信時間間隔（ＴＴＩ）バンドリング構成情報を生成するよう構成することができる。トランシーバモジュールは、無線デバイスが約５０のサブフレーム時間間隔内で少なくとも１つのＴＴＩバンドルを用いてＰＵＳＣＨ信号を送信することを可能にするべく、ＴＴＩバンドリング構成情報を無線デバイスに送信するよう構成することができる。
【００６４】
一構成において、各々のＴＴＩバンドルは、１２サブフレームＴＴＩバンドル再送信遅延を有する４つの連続ＴＴＩを含むことができ、無線デバイスの最大で５回のＨＡＲＱ再送信である。約５０のサブフレーム時間間隔は、５２ミリ秒（ｍｓ）であり得る。別の構成では、各々のＴＴＩバンドルは２０の連続ＴＴＩまたは２０のインターリーブＴＴＩを含むことができる。各々のインターリーブＴＴＩは、ＴＴＩバンドルの中ではないＴＴＩによって分離され得る。ＨＡＲＱフィードバック指標は、ＴＴＩバンドルに関連付けられ得る。または、複数の中間ＨＡＲＱフィードバック指標はＴＴＩバンドルに関連付けられ得る。各々のＨＡＲＱフィードバック指標は、ＴＴＩバンドルの少なくとも４つのＴＴＩのフィードバックを提供するよう構成することができる。別の構成では、各々のＴＴＩバンドルは、２０サブフレームＴＴＩバンドル再送信遅延あるいは３０サブフレームＴＴＩバンドル再送信遅延を有する１０の連続ＴＴＩを含むことができる。
【００６５】
別の例では、トランシーバモジュールは、さらに、約５０のサブフレーム時間間隔内で少なくとも１つのＴＴＩバンドルに少なくとも２０のＴＴＩを含むＰＵＳＣＨ信号送信を受信するよう構成され得る。処理モジュールは、さらに、受信したＰＵＳＣＨ信号からのデータを復号化するよう構成し得る。トランシーバモジュールは、さらに、ＴＴＩバンドリング構成情報および復号化データに基づいて無線デバイスへ少なくとも１つのハイブリッド自動繰り返し要求肯定応答（ＡＣＫ）ＨＡＲＱ−ＡＣＫフィードバックを送信するよう構成され得る。
【００６６】
ノード７１０は、基地局（ＢＳ）、ノードＢ（ＮＢ）、進化型ノードＢ（ｅＮＢ）、ベースバンドユニット（ＢＢＵ）、遠隔無線ヘッド（ＲＲＨ）、遠隔無線機器（ＲＲＥ）、またはリモート無線ユニット（ＲＲＵ）を含むことができる。
【００６７】
無線デバイス７２０は、トランシーバモジュール７２４および処理モジュール７２２を含むことができる。無線デバイスは、物理アップリンク共有チャンネル（ＰＵＳＣＨ）送信時間間隔（ＴＴＩ）バンドリング用に構成され得る。トランシーバモジュールは、少なくとも２０のＴＴＩのハイブリッド自動繰り返し要求（ＨＡＲＱ）処理のためのＰＵＳＣＨ送信をバンドリングする命令を有するＴＴＩバンドリング構成情報をノードから受信するよう構成され得る。処理モジュールは、少なくとも１のＰＵＳＣＨ  ＴＴＩバンドルを形成するべく、最大で少なくとも２０のＴＴＩのＴＴＩバンドルに構成され得る。トランシーバモジュールは、さらに、少なくとも１つのＰＵＳＣＨ  ＴＴＩバンドル、最大で少なくとも２０ＴＴＩを、約５０のサブフレーム時間間隔内のノードに送信するよう構成され得る。
【００６８】
各々のＰＵＳＣＨ  ＴＴＩバンドルは、４つの連続ＴＴＩ、２０の連続ＴＴＩまたは２０のインターリーブＴＴＩ、１０の連続ＴＴＩ、あるいは８つの連続ＴＴＩを含み得る。４つの連続ＴＴＩを含むＰＵＳＣＨ  ＴＴＩバンドルは、最大で５つのＨＡＲＱ再送信を有する１２サブフレームＴＴＩバンドル再送信遅延を有することができる。２０ＴＴＩを含むＰＵＳＣＨ  ＴＴＩバンドルは、ＴＴＩバンドルに関連付けられたＨＡＲＱフィードバック指標またはＴＴＩバンドルに関連付けられた複数の中間ＨＡＲＱフィードバック指標を有することができる。各々のＨＡＲＱフィードバック指標は、ＴＴＩバンドルの少なくとも４つのＴＴＩのフィードバックを提供するよう構成され得る。各々のインターリーブＴＴＩは、ＴＴＩバンドルの中ではないＴＴＩによって分離され得る。
【００６９】
別の例では、トランシーバモジュール７２４は、約５０のサブフレーム周期的時間間隔内の少なくとも２０のＴＴＩのＴＴＩバンドリング用に構成されたＰＵＳＣＨ信号を送信するべく、またノードからの否定応答（ＮＡＣＫ）ハイブリッド自動繰り返し要求（ＨＡＲＱ）フィードバックに基づいたＰＵＳＣＨ信号を再送信するべく、さらに動作可能であり得る。
【００７０】
図１５は、ユーザ機器（ＵＥ）、移動局（ＭＳ）、移動無線デバイス、移動通信デバイス、タブレット、ハンドセット、または他のタイプの無線デバイスなどの、無線デバイスの例示的な図示を提供する。無線デバイスは、ノード、マクロノード、低消費電力ノード（ＬＰＮ）、あるいは基地局（ＢＳ）、進化型ノードＢ（ｅＮＢ）、ベースバンドユニット（ＢＢＵ）、遠隔無線ヘッド（ＲＲＨ）、遠隔無線機器（ＲＲＥ）、中継局（ＲＳ）、無線設備（ＲＥ）、または他のタイプの無線ワイドエリアネットワーク（ＷＷＡＮ）アクセスポイントなどの送信局と通信するよう構成された、１または複数のアンテナを含み得る。無線デバイスは、３ＧＰＰ  ＬＴＥ、ＷｉＭＡＸ、高速パケットアクセス（ＨＳＰＡ）、ブルートゥース、およびＷｉＦｉを含む少なくとも１つの無線通信規格を用いて通信するよう構成され得る。無線デバイスは、各々の無線通信規格のための個別のアンテナ、または多数の無線通信規格のための共有アンテナを用いて、通信することができる。無線デバイスは、無線ローカルエリアネットワーク（ＷＬＡＮ）、無線パーソナルエリアネットワーク（ＷＰＡＮ）、および／またはＷＷＡＮにおいて、通信することができる。
【００７１】
図１５は、さらに無線デバイスからの音声入出力に用いることができるマイクロホンおよび１または複数のスピーカの例示を提供する。ディスプレイ画面は、液晶ディスプレイ（ＬＣＤ）スクリーン、あるいは有機発光ダイオード（ＯＬＥＤ）ディスプレイなどの他のタイプのディスプレイ画面であってもよい。ディスプレイ画面はタッチ画面として構成され得る。タッチ画面は容量性、抵抗性、または他のタイプのタッチ画面技術を用いてもよい。アプリケーションプロセッサおよびグラフィックスプロセッサは、処理およびディスプレイ機能を提供するべく、内部メモリに連結され得る。不揮発性メモリポートもユーザへのデータ入出力オプションを提供するために用いることができる。不揮発性メモリポートも無線デバイスのメモリ能力を拡張するために用いられてもよい。キーボードは、さらなるユーザ入力を提供するべく、無線デバイスに組み込まれるか、または無線デバイスに無線接続されてもよい。バーチャルキーボードもタッチ画面を用いて提供可能である。
【００７２】
様々な技術、あるいはそれらの特定の態様または部分は、フロッピー（登録商標）ディスク、ＣＤ−ＲＯＭ、ハードドライブ、非一時的コンピュータ可読ストレージ、もしくは任意の他の機械可読記憶媒体などの有形の媒体に具体化されるプログラムコード（すなわち、命令）の形態を取ってもよい。ここで、プログラムコードがコンピュータなどの機械にロードされて機械により実行される場合、機械は様々な技術を行うための装置になる。プログラム可能なコンピュータ上のプログラムコード実行の場合、コンピューティングデバイスは、プロセッサ、このプロセッサが可読である記憶媒体（揮発性および不揮発性メモリおよび／または記憶要素を含む）、少なくとも１つの入力デバイス、ならびに少なくとも１つの出力デバイスを含んでもよい。揮発性および不揮発性メモリならびに／または記憶要素は、ＲＡＭ、ＥＰＲＯＭ、フラッシュデバイス、光学式デバイス、磁気ハードドライブ、あるいは電子データを格納するための他の媒体であってもよい。ノードおよび無線デバイスもまた、トランシーバモジュール、カウンタモジュール、処理モジュール、および／またはクロックモジュールもしくはタイマーモジュールを含んでもよい。本明細書中に説明される様々な技術を実装または利用可能である１または複数のプログラムは、アプリケーションプログラミングインターフェース（ＡＰＩ）、再利用可能な制御、およびその他を用いてもよい。そのようなプログラムは、コンピュータシステムと通信するべく、高いレベルの手順的またはオブジェクト指向プログラミング言語で実装されてもよい。しかし、プログラムは、必要に応じて、アセンブリ言語または機械言語で実装されてもよい。いかなる場合も、言語はコンパイル言語またはインタープリタ言語であってもよく、さらに、ハードウェア実装と組み合わさってもよい。
【００７３】
この明細書で説明した機能ユニットの多くが、より具体的にそれらの実装の独立性を強調するべく、モジュールとして名付けられたことを理解すべきである。例えば、モジュールはハードウェア回路として実装されてよく、これにはカスタムＶＬＳＩ回路もしくはゲートアレイ、論理チップ、トランジスタなどの既製の半導体、または他の別個の構成要素が含まれる。モジュールも、フィールドプログラマブルゲートアレイ、プログラマブルアレイロジック、プログラマブル論理デバイス、またはその他などのプログラム可能なハードウェアデバイスに実装されてもよい。
【００７４】
モジュールも、様々なタイプのプロセッサによる実行のためのソフトウェアに実装されてもよい。実行可能コードの識別されたモジュールは、例えば、コンピュータ命令の１または複数の物理または論理ブロック、を含んでもよく、例えば、オブジェクト、手順、または機能として編成されてもよい。しかし、識別されたモジュールの実行可能性は、物理的に一緒に配置される必要はなく、異なる位置に格納された全く異なる命令を含んでもよい。論理的に一緒に結合した場合に、モジュールを含み、かつそのモジュールのための定められた目的を達成する。
【００７５】
実際に、実行可能コードのモジュールは単一命令であってもよく、あるいは多くの命令であってもよく、さらに、異なるプログラム間で、いくつかの異なるコードセグメントにさえも分散されてもよく、さらにいくつかのメモリデバイスをまたがってもよい。同様に、動作データはモジュール内で本明細書において同定および例証されてもよく、任意の適した形態で具体化し、任意の適切なタイプのデータ構造体内で編成されてもよい。動作データは、単一のデータセットとして集められてもよく、あるいは異なる記憶デバイス間を含む異なる場所間に分散されてもよく、さらに、少なくとも部分的に、単に、システムまたはネットワーク上の電子信号として、存在してもよい。所望の機能を行なうのに動作可能なエージェントを含めて、モジュールは受動的または活動的であってもよい。
【００７６】
この明細書の全体にわたる「例」への言及は、例に関連して説明される特定の特徴、構造、または特性が本発明のうち少なくとも１つの実施形態に含まれることを意味している。したがって、この明細書全体にわたって様々な箇所での「一例において」という句の出現は、必ずしも全てが同一の実施形態に言及しているものではない。
【００７７】
本明細書中で用いられるように、複数のアイテム、構造要素、構成要素、および／または材料は、便宜上共通のリスト中で示されてもよい。しかし、これらのリストは、あたかもリストの各々のメンバーが独立かつ一意のメンバーであるとして、個々に確認されるかのように、解釈されるべきである。したがって、そのようなリストの個々のメンバーは、それとは反対の表示のない共通の群におけるそれらの提示に単独で基づいた同一リストの他のメンバーの事実上の同等物として解釈されるべきでない。加えて、本発明の様々な実施形態および例は、それの様々な構成要素のために代替例と共に本明細書中で引用されてもよい。このような実施形態、実施例、および代替例ではない互いの事実上の同等物として解釈されるべきではなく、本発明の別個の自律的な表現として考慮されることが理解される。
【００７８】
さらに、説明された特徴、構造、または特性は、１または複数の実施形態において任意の適切なやり方で組み合わせることができる。以下の説明において、本発明の実施形態の深い理解を提供することを通して、数多くの特定の詳細がレイアウト、距離、ネットワーク例などの例として提供される。しかし、関連分野の当業者であれば、本発明は特定の詳細のうち１または複数がなくても、あるいは他の方法、構成要素、レイアウトなどによって、本発明を実施できることが認識されよう。他の例において、周知の構造、材料、または操作は、本発明の態様を不明瞭にしないために詳細に図示も説明もされていない。
【００７９】
前述の例は１または複数の特定用途における本発明の原理の例示であるが、それは、本発明の原理および概念から逸脱することなく、形態、使用、および実装の詳細において数多くの変更形態が発明力を行使することなくなされ得ることは当業者には明らかであろう。したがって、本発明は特許請求の範囲は、以下に明記されるクレームを除き、本発明を限定することを意図していない。
【図１】
0005967286.tif 000005
【図２】
0005967286.tif 000006
【図３】
0005967286.tif 000007
【図４】
0005967286.tif 000008
【図５】
0005967286.tif 000009
【図６】
0005967286.tif 000010
【図７】
0005967286.tif 000011
【図８】
0005967286.tif 000012
【図９】
0005967286.tif 000013
【図１０】
0005967286.tif 000014
【図１１】
0005967286.tif 000015
【図１２】
0005967286.tif 000016
【図１３】
0005967286.tif 000017
【図１４】
0005967286.tif 000018
【図１５】
0005967286.tif 000019